(57)【要約】【課題】  操作性が良好な電子表示装置を提供する。【解決手段】  筐体の表面に設けられた表示部１２と、筐体を保持する手の指で操作が可能な操作部１５と、操作部１５の操作に基づいて表示部１２の表示を制御する制御部１６と、複数のコンテンツを記憶する記憶部１７とを備えており、操作部１５は、コンテンツを選択する第１の操作と、コンテンツを閲覧する第２の操作とが可能であり、制御部１６は、操作部１５の第１の操作に応じて、コンテンツの１つを順番に特定する表示を表示部１２で行い、操作部１５の第２の操作に応じて、その操作時に表示部１２で特定されたコンテンツが未読である場合は、当該コンテンツの第１ページを表示部１２に表示し、そのコンテンツが既読である場合は、当該コンテンツの直近に表示された最終表示ページを表示部１２に表示する。筐体を手で掴み、その手の指で操作部１５を操作できる。【選択図】  図６
2007041717.tif 000002
【特許請求の範囲】
【請求項１】
筐体と、
前記筐体の表面に設けられた表示部と、
前記表示部の動作制御が可能な操作部と、
前記操作部の操作に基づいて前記表示部の表示を制御する制御部と、
前記表示部に表示される複数のコンテンツを記憶する記憶部とを備え、
前記操作部は、少なくとも、前記コンテンツを選択する第１の操作と、前記コンテンツを閲覧する第２の操作とが可能であり、
前記制御部は、前記操作部の前記第１の操作に応じて、前記記憶部に記憶されたコンテンツの１つを順番に特定する表示を前記表示部で行い、前記操作部の前記第２の操作に応じて、その操作時に前記表示部の表示で特定された前記コンテンツが未読である場合は、当該コンテンツの第１ページを前記表示部に表示し、その操作時に前記表示部の表示で特定された前記コンテンツが既読である場合は、当該コンテンツの直近に表示された最終表示ページを前記表示部に表示する電子表示装置。
【請求項２】
請求項１に記載の電子表示装置であって、
前記制御部は、前記第２の操作に応じて、その操作時に前記表示部の表示で特定された前記コンテンツが既読である場合は、当該コンテンツの第１ページを表示した後に直近に表示された最終表示ページを前記表示部に表示する電子表示装置。
【請求項３】
請求項１または２に記載の電子表示装置であって、
前記制御部は、前記コンテンツの閲覧時に行われた前記操作部の前記第１の操作に応じて、前記コンテンツの次の順番のコンテンツ、または、前記コンテンツの前の順番のコンテンツを特定する表示を前記表示部で行う電子表示装置。
【請求項４】
請求項１ないし３のいずれか１項に記載の電子表示装置であって、
前記制御部は、前記記憶部に記憶されたコンテンツを特定する表示として、当該コンテンツの表紙を、前記操作部の前記第１の操作に応じて表示する電子表示装置。
【請求項５】
請求項１に記載の電子表示装置であって、
前記制御部は、前記コンテンツの閲覧時に行われた前記操作部の前記第２の操作に応じて、前記表示部に表示した当該コンテンツのページを切替える電子表示装置。
【請求項６】
請求項５に記載の電子表示装置であって、
前記制御部は、前記第２の操作に応じて、前記表示部に表示した当該コンテンツのページを連続的に切替える電子表示装置。
【請求項７】
請求項１ないし６のいずれか１項に記載の電子表示装置であって、
前記第１の操作及び前記第２の操作が、前記操作部をなぞる操作であり、前記第１の操作において前記操作部をなぞる方向が、前記第２の操作において前記操作部をなぞる方向に略垂直である電子表示装置。
【請求項８】
電子表示装置の表示部に表示されるコンテンツを選択し表示するコンテンツ選択表示方法であって、当該方法は、前記表示部の動作制御が可能な操作部の操作に基づいて行なわれ、
前記操作部の前記第１の操作に応じて、前記電子表示装置の記憶部に記憶されたコンテンツの１つを特定する表示を前記表示部で行い、
前記操作部の前記第２の操作に応じて、前記表示部の表示で特定された前記コンテンツが未読である場合は、当該コンテンツの第１ページを前記表示部に表示し、前記表示部の表示で特定された前記コンテンツが既読である場合は、当該コンテンツの直近に表示された最終表示ページを前記表示部に表示する、コンテンツ選択表示方法。
【発明の詳細な説明】
【技術分野】
【０００１】
本発明は、電子書籍等を読むための電子表示装置に関し、特に、閲覧する書籍等の選択やページの切替えを行う際の操作性を改善するものである。
【背景技術】
【０００２】
近年、例えば、下記非特許文献1に記載されているように、電子書籍等を閲覧するための携帯可能な電子表示装置が市販されている。この装置は、薄箱状の筐体に、書籍等を表示する表示部と、キーボードやジョグダイヤルなどの操作部とを有しており、ユーザは、その筐体を片手または両手で保持し、指で操作部を操作して、表示部に表示する電子書籍を選択し、あるいは、そのページの切替えを実行する。
【非特許文献１】「ソニー、新ディスプレイを搭載した電子書籍リーダー」、平成１７年６月２１日検索、インターネット<URL:http://www.k-tai.impress.co.jp/cda/article/news-toppage/18199.html>
【発明の開示】
【発明が解決しようとする課題】
【０００３】
しかし、従来の電子表示装置では、電子書籍に代表される所望コンテンツの所望のページを表示部に表示するまでに、種類の異なる操作を順次実行する必要があり、この操作のために筐体の持ち替えを余儀なくされ、また、操作に時間が掛かり、操作性は必ずしも良くなかった。
【０００４】
本発明は、こうした状況を考慮して創案したものであり、操作性が良好な電子表示装置を提供することを目的としている。
【課題を解決するための手段】
【０００５】
本発明の電子表示装置は、筐体と、筐体の表面に設けられた表示部と、表示部の動作制御が可能な操作部と、操作部の操作に基づいて表示部の表示を制御する制御部と、表示部に表示される複数のコンテンツを記憶する記憶部とを備えており、操作部は、少なくとも、コンテンツを選択する第１の操作と、コンテンツを閲覧する第２の操作とが可能であり、制御部は、操作部の第１の操作に応じて、記憶部に記憶されたコンテンツの１つを順番に特定する表示を表示部で行い、操作部の第２の操作に応じて、その操作時に表示部の表示で特定されたコンテンツが未読である場合は、当該コンテンツの第１ページを表示部に表示し、その操作時に表示部の表示で特定されたコンテンツが既読である場合は、当該コンテンツの直近に表示された最終表示ページを表示部に表示する。
【０００６】
この電子表示装置は、筐体を手で掴み、その手の指で操作部を操作できる。また、コンテンツの選択操作から、コンテンツの閲覧操作に切替えた場合に、選択したコンテンツの最終表示ページ（コンテンツが未読の場合は第１ページ）が表示される。
【０００７】
また、制御部は、第２の操作に応じて、その操作時に表示部の表示で特定されたコンテンツが既読である場合は、当該コンテンツの第１ページを表示した後に直近に表示された最終表示ページを表示部に表示する。
【０００８】
そのため、ユーザは既読の部分の続きから再びコンテンツを閲覧することができる。
【０００９】
また、本発明の電子表示装置の制御部は、コンテンツの閲覧時に行われた操作部の第１の操作に応じて、閲覧したコンテンツの次の順番のコンテンツ、または、前記コンテンツの前の順番のコンテンツを特定する表示を表示部で行う。
【００１０】
そのため、以前に選択したコンテンツ（閲覧したコンテンツ）の次の順番からコンテンツの選択が継続される。
【００１１】
また、本発明の電子表示装置の制御部は、記憶部に記憶されたコンテンツを特定する表示として、当該コンテンツの表紙を、操作部の第１の操作に応じて表示する。
【００１２】
そのため、ユーザは、コンテンツの選択が容易になる。
【００１３】
また、本発明の電子表示装置の制御部は、コンテンツの閲覧時に行われた操作部の第２の操作に応じて、表示部に表示したコンテンツのページを切替える。
【００１４】
そのため、筐体を掴んだ手の指の操作で、コンテンツのページ切替えを行うことができる。
【００１５】
また、本発明の電子表示装置の制御部は、第２の操作に応じて、表示部に表示したコンテンツのページを連続的に切替える。
【００１６】
そのため、ページ切替えが効率的に行われる。
【００１７】
また、前記第１の操作及び前記第２の操作が、前記操作部をなぞる操作より構成され、前記第１の操作において前記操作部をなぞる方向が、前記第２の操作において前記操作部をなぞる方向に略垂直である。
【００１８】
この構成においては、コンテンツの選択及びコンテンツのページ切替各々の操作が直感的に把握される。
【００１９】
また、本発明は、電子表示装置の表示部に表示されるコンテンツを選択し表示するコンテンツ選択表示方法をも提供する。当該方法は、前記表示部の動作制御が可能な操作部の操作に基づいて行なわれ、前記操作部の前記第１の操作に応じて、前記電子表示装置の記憶部に記憶されたコンテンツの１つを特定する表示を前記表示部で行い、前記操作部の前記第２の操作に応じて、前記表示部の表示で特定された前記コンテンツが未読である場合は、当該コンテンツの第１ページを前記表示部に表示し、前記表示部の表示で特定された前記コンテンツが既読である場合は、当該コンテンツの直近に表示された最終表示ページを前記表示部に表示するものである。
【発明の効果】
【００２０】
本発明の電子表示装置は、コンテンツの選択やコンテンツのページ切替えを、筐体を掴んだ手の指で操作することができ、操作性が良好である。また、コンテンツの読み掛けのページを直ぐに表示することができ、ページめくりの操作時間を短縮できる。
【発明を実施するための最良の形態】
【００２１】
図１は、本発明の実施形態における電子表示装置１０の外観を示す斜視図である。この電子表示装置１０の筐体は、薄箱状の矩形部１１と、その矩形の片側に連なる略円柱状の把持部１３とを有し、矩形部１１には表示部１２が配置され、把持部１３には略Ｅ字形の操作部１４が配置されている。また、把持部１３の内部には、この装置の電源となる電池が収納されている。
【００２２】
ユーザは、図２に示すように、この電子表示装置１０の把持部１３を右手４１または左手４２で掴み、掴んだ手の親指で操作部１４のＥ字上をなぞって、表示部１２に表示する書籍等のコンテンツを選択し、また、そのページを切替える。
【００２３】
Ｅ字形操作部１４には、図３に示すように、Ｅ字に沿って複数のタッチセンサ１５ａ〜１５ｈが配置されており、指が触れるタッチセンサの順番やその時間間隔に基づいて、予め決められた表示動作が行われる。
【００２４】
例えば、この電子表示装置１０を右手で持つ場合は、表示部１２にコンテンツ選択メニュー（後述する図８）や設定メニュー（後述する図９）が表示されているときに、図４（ａ）に示すように、タッチセンサを１５ｂ→１５ｃ→１５ｅの順に指でなぞると、各メニュー上での選択位置が下方向に移動し、逆に、１５ｅ→１５ｃ→１５ｂの順になぞると、その選択位置が上方向に移動する。
【００２５】
また、図４（ｂ）に示すように、タッチセンサを１５ｅ→１５ｄの順に指でなぞると、設定メニュー上で選択された項目が決定され、１５ｄ→１５ｅの順になぞると、決定が取り消される。
【００２６】
また、図４（ｃ）に示すように、タッチセンサを１５ａ→１５ｂの順に指でなぞると、コンテンツ選択メニュー上で選択されたコンテンツの順方向へのページめくりが行われ、１５ｂ→１５ａの順になぞると、逆方向へのページめくりが行われる。また、タッチセンサを指でなぞった後、指をタッチセンサから離さずに触り続けると、ページめくりを連続的に行う“高速モード”に移行する。
【００２７】
また、図４（ｄ）に示すように、タッチセンサを１５ｈ→１５ｇの順に指でなぞると、電子表示装置１０の操作部１４は、左手持ちに対応した動作に切替わる。
【００２８】
図５は、電子表示装置１０を左手で持つ場合の操作を示している。タッチセンサを１５ｈ→１５ｆ→１５ｅの順になぞると、各メニュー上での選択位置が下方向に移動し、逆になぞると上方向に移動する（図５（ａ））。また、タッチセンサを１５ｅ→１５ｄの順に指でなぞると、設定メニュー上で選択された項目が決定され、逆になぞると、決定が取り消される（図５（ｂ））。また、タッチセンサを１５ｇ→１５ｈの順に指でなぞると、コンテンツ選択メニュー上で選択されたコンテンツの順方向へのページめくりが行われ、逆になぞると、逆方向へのページめくりが行われる（図５（ｃ））。また、タッチセンサを１５ｂ→１５aの順になぞると、右手持ちへの切替えが行われる（図５（ｄ））。
【００２９】
図６は、この電子表示装置１０の構成を示すブロック図である。この装置１０は、表示部１２と、操作部として機能するタッチセンサ１５と、コンテンツ情報を記憶する記憶部１７と、読込データ記憶領域２０及び管理データ記憶領域１９を有する一時記憶部１８と、表示を制御する制御部１６とを備えている。
【００３０】
記憶部１７は、この装置に装着されるメモリカード等の記憶媒体であり、閲覧用の多数のコンテンツが、その書誌データや表紙のサムネイル等とともに格納されている。記憶媒体は一般的には取り外し可能で著作権保護機能が設けられており、他の記録媒体にそのコンテンツをコピーすることはできないような構成になっているが、特にその種類は限定されない。
【００３１】
一時記憶部１８は、揮発性メモリから成り、読込データ記憶領域２０には、閲覧するコンテンツの表示部１２に表示されるページとその前後のページとが、記憶部１７から読み込まれて記憶される。
【００３２】
また、一時記憶部１８の管理データ記憶領域１９には、図７に示すように、記憶部１７から読み込まれた書誌データを使って作成された管理テーブルが記憶される。この管理テーブルには、書誌データから転記されたコンテンツ名、各コンテンツの総ページ数、及び、各コンテンツの記憶部１７上の格納位置（アドレス）等が記述され、また、最近選択されて閲覧されたコンテンツにフラグが付され、コンテンツが閲覧された場合に、読み進んだ最終の表示ページが既読ページとして記述される。閲覧されていないコンテンツの既読ページは初期値の１のままである。
【００３３】
制御部１６は、“コンテンツ選択用プログラム”及び“コンテンツ表示用プログラム”の二つのプログラムを保持し、タッチセンサ１５の１５ｂ、１５ｃ、１５ｅ、１５ｆ、１５ｈのライン（縦棒ライン）からの入力情報に基づいてコンテンツ選択用プログラムを起動し、また、右手持ちの場合は１５ａ、１５ｂのライン、左手持ちの場合は１５ｇ、１５ｈのライン（上横棒ライン）からの入力情報に基づいてコンテンツ表示用プログラムを起動する。そして、各プログラムにおいてタッチセンサ１５の入力情報に対応付けて規定されたコンテンツ選択及びコンテンツ表示の表示動作を制御する。
【００３４】
次に、この電子表示装置１０の表示動作について説明する。
【００３５】
この装置１０の電源が投入されると、制御部１６は、まず、コンテンツ選択用プログラムを起動し、記憶部１７から各コンテンツの書誌データを読み込んで、一時記憶部１８の管理データ記憶領域１９に管理テーブル（図７）を作成する。また、その書誌データを用いて、表示部１２にコンテンツ選択メニューを表示し、初期設定された右手持ち用の表示制御を開始する。なお、図４（ｄ）に示すように、タッチセンサ１５の１５ｈに続いて１５ｇから入力が有った場合は、その間の時間を時計（不図示）で計測し、計測時間が予め設定された閾値より短いとき、この入力情報を有効と識別して、左手持ち用の表示制御に切替える（以下の説明は、右手持ちの状態について行う）。
【００３６】
コンテンツ選択メニューには、図８に示すように、所定数（ここでは５個）のコンテンツの書誌データが並べて表示され、その中で、選択状態にあるコンテンツの書誌データが画面中央に広い枠で表示され、その枠内に、当該コンテンツの表紙のサムネイルが表示される。制御部１６は、表示当初、コンテンツ選択用プログラムで初期設定された順位のコンテンツを選択状態として扱う。
【００３７】
制御部１６は、図４（ａ）に示すように、タッチセンサ１５の１５ｂ、１５ｃ、１５ｅから、この順で入力が有った場合に、その間の時間を計測し、計測時間が予め設定された閾値より短いとき、この入力情報を有効と識別して、現在選択状態にあるコンテンツより１つ下のコンテンツを選択状態に設定する。そして、そのコンテンツ用の枠を画面中央に広く表示し、記憶部１７から当該コンテンツの表紙のサムネイルを読み出して、その枠内に表示する。また、コンテンツ選択メニューの一番上に位置する書誌データを画面から外し、管理テーブルから新たに読み込んだ書誌データを画面の一番下に追加する。
【００３８】
また、タッチセンサ１５の１５ｂ、１５ｃ、１５ｅから、逆の順序で入力が有った場合は、現在選択状態にあるコンテンツより１つ上のコンテンツを新たに選択状態に設定する処理を行う。
【００３９】
ユーザは、Ｅ字形操作部１４の縦棒ラインを親指でなぞることにより、選択状態のコンテンツを次々と更新し、制御部１６は、この縦棒ラインのタッチセンサから入力情報があるたびに、前述する動作を繰り返す。
【００４０】
なお、Ｅ字形操作部１４から、設定メニューを表示する所定の操作が行われると、図９に示すように、コンテンツ選択メニューに重畳して、設定メニューが表示される。この設定メニューから設定項目を選択する操作は、Ｅ字形操作部１４の縦棒ラインをなぞって行われ、その決定・取消は、Ｅ字形操作部１４の中横棒ライン（タッチセンサの１５ｄ、１５ｅ）をなぞって行われるが、その詳細な説明は省略する。
【００４１】
制御部１６は、図４（ｃ）に示すように、タッチセンサ１５の１５ａに続いて１５ｂから入力が有ると、その間の計測時間が予め設定された閾値より短いとき、この入力情報を有効と識別し、一時記憶部１８の管理データ記憶領域１９に記憶された管理テーブル（図７）の現在選択状態にあるコンテンツの位置にフラグを付した後、起動中のコンテンツ選択用プログラムを終了して、コンテンツ表示用プログラムを起動する。
【００４２】
制御部１６は、このコンテンツ表示用プログラムに基づいて管理テーブル（図７）を参照し、フラグが付されたコンテンツの既読ページのデータを取得する。そして、記憶部１７から、そのコンテンツの既読ページに該当するページ、及び、その前後のページを読み込んで、一時記憶部１８の読込データ記憶領域２０に格納し、表示部１２に、既読ページに該当するページを表示する。
【００４３】
また、制御部１６は、その後、図４（ｃ）に示すように、タッチセンサ１５の１５ａに続いて１５ｂからの入力が再度あると、その間の計測時間が予め設定された閾値より短いとき、この入力情報を有効と識別し、表示部１２に表示するページを次ページに切替える。
【００４４】
このとき、制御部１６は、一時記憶部１８の読込データ記憶領域２０に格納された、現在表示中のページと次ページとの画像データを用いて、図１０（ｂ）あるいは図１０（ｃ）に示す表示方法でページめくりを実行する。
【００４５】
図１０（ｂ）の方法では、図１０（ａ）の１ページ目から２ページ目に切替える場合に、見開きの状態で接続した１ページ目及び２ページ目がスライドして２ページ目に辿り着くように、１ページ目の一部と２ページ目の一部とを組み合わせた合成画像、さらには、その１ページ目の部分が減り、２ページ目の部分が増えた合成画像、を生成し、それらの合成画像を順次表示した後に、最終的に２ページ目を表示する。
【００４６】
また、図１０（ｃ）の方法では、１ページ目の上に２ページ目の一部分が重なる合成画像を表示し、その表示を、２ページ目の重なりを徐々に増やした複数の合成画像で次々と更新し、最終的に２ページ目の画像を表示する。
【００４７】
なお、制御部１６は、次ページを表示部１２に表示した場合、その次のページを記憶部１７から読み出して一時記憶部１８の読込データ記憶領域２０に格納し、表示中のページ及びその前後のページ以外は、読込データ記憶領域２０から削除する。
【００４８】
制御部１６は、タッチセンサ１５の１５ａに続いて１５ｂから入力があるたびに、前述した手順で、次ページへのページめくりを繰り返す。また、タッチセンサ１５の１５ｂに続いて１５ａから入力があると、制御部１６は、同様の手順で、前ページへのページめくりを実行する。
【００４９】
また、制御部１６は、タッチセンサ１５の１５ａに続いて１５ｂから入力があり、その後、引き続いて１５ｂからの入力が継続する場合に、その継続時間を時計（不図示）で計測する。そして、その計測時間が予め設定された時間ｍ１を超えたとき、ページめくりを連続的に行う“高速モード”を実行する。
【００５０】
高速モードの場合は、各ページめくりの途中で挿入される合成画像の数を、１ページ毎のページめくりに比べて少なく設定する。この場合も、制御部１６は、連続するページめくりに間に合うように、次のページを記憶部１７から順次読み出し、一時記憶部１８の読込データ記憶領域２０に格納する。また、タッチセンサ１５ｂからの入力が停止した場合は、実施途中のページめくりが完了した時点で、ページめくり動作を中止する。
【００５１】
また、制御部１６は、図４（ａ）に示すように、タッチセンサ１５の１５ｂ、１５ｃ、１５ｅから、この順で入力が有ると、その間の計測時間が予め設定された閾値より短いとき、この入力情報を有効と識別して、一時記憶部１８の管理データ記憶領域１９に記憶された管理テーブル（図７）のコンテンツの既読ページ欄に、最終的に表示したページを記入し、起動中のコンテンツ表示用プログラムを終了して、コンテンツ選択用プログラムを起動する。
【００５２】
そして、制御部１６は、コンテンツ選択用プログラムに基づいて管理テーブル（図７）を参照し、フラグが付されたコンテンツより１つ下のコンテンツを選択状態に設定したコンテンツ選択メニューを表示する。なお、このとき、タッチセンサ１５の入力順が１５ｅ→１５ｃ→１５ｂであった場合は、フラグが付されたコンテンツより１つ上のコンテンツを選択状態に設定したコンテンツ選択メニューを表示する。
【００５３】
このように、この電子表示装置１０では、コンテンツを選択するために、Ｅ字形操作部１４の縦棒ラインを親指でなぞる操作が行われ、それに伴い、コンテンツの表紙が順次表示される。表紙が表示されたコンテンツを閲覧するために、Ｅ字形操作部１４の上横棒ラインをなぞる操作を行うと、そのコンテンツの前回読んだページが表示される。そのコンテンツを始めて読む場合は１ページ目が表示される。閲覧中のコンテンツのページ送りは、Ｅ字形操作部１４の上横棒ラインをなぞる操作で行われ、なぞった後、上横棒ラインを触り続けると、連続的なページ送りが行われる。また、閲覧中にＥ字形操作部１４の縦棒ラインを親指でなぞると、次のコンテンツの表紙が表示される。
【００５４】
図１１は、この電子表示装置１０の表示動作を模式的に示している。
【００５５】
この図では、表示可能な各コンテンツを縦（Ｌ方向）に並べて示している。コンテンツＡ、Ｂ、Ｃの表紙は一列に並び、各コンテンツのページは横（Ｗ方向）に展開している。表紙の左側に位置する、マイナスの値が振られたページは既読ページであり、０ページが最終表次ページ、その右に並ぶページが未読ページを表している。
【００５６】
Ｅ字形操作部１４の縦棒ラインを親指でなぞる操作は、各コンテンツの表紙を選ぶ操作に相当している。コンテンツＢの表紙が選択された状態でＥ字形操作部１４の上横棒ラインをなぞると、コンテンツＢの最終表示ページが表示される（１）。さらに、Ｅ字形操作部１４の上横棒ラインをなぞると、コンテンツＢ内のページ送りが行われる（２）。コンテンツＢのページ閲覧を止めて、再び、Ｅ字形操作部１４の縦棒ラインを親指でなぞる操作を行うと、縦棒ラインを下方向になぞったときは、コンテンツＣの表紙が表示され、縦棒ラインを上方向になぞったときは、コンテンツＡの表紙が表示される（３）。
【００５７】
また、図１２に示すように、Ｅ字形操作部１４の縦棒ラインをなぞると、初期表示されたコンテンツＡの表紙からコンテンツＢの表紙に切替わり（１）、Ｅ字形操作部１４の上横棒ラインをなぞると、コンテンツＢの最終表示ページが表示され（２）、この上横棒ラインをなぞる毎に、１ページずつページ送りが行われ（３）、上横棒ラインを触り続けると連続的なページ送りが行われる（４）。また、上横棒ラインを逆方向になぞると、逆方向のページ送りが行われ、そのまま上横棒ラインを触り続けると、逆方向への連続的なページ送りが行われる。
【００５８】
コンテンツＢのページ閲覧を止めてＥ字形操作部１４の縦棒ラインを下方向になぞると、コンテンツＣの表紙が表示され（５）、縦棒ラインをさらに下方向になぞると、コンテンツＤの表紙が表示され（６）、Ｅ字形操作部１４の上横棒ラインをなぞると、コンテンツＤの最終表示ページが表示される（７）。
【００５９】
このように、この電子表示装置は、筐体の把持部を手で掴み、その手の指でＥ字形操作部をなぞるだけで、コンテンツを選択し、且つ、選択したコンテンツのページを送ることができ、極めて操作が容易である。また、コンテンツの選択操作から、コンテンツの閲覧操作に切替えた場合に、選択したコンテンツの最終表示ページが表示されるため、読み掛けの続きを効率的に読むことができる。また、コンテンツの閲覧操作からコンテンツの選択操作に切替えた場合に、以前に選択したコンテンツの次から選択が継続されるため、コンテンツの選択を効率的に、短時間で行うことができる。
【００６０】
本実施形態では、操作部における縦棒ラインの方向に沿って操作部をなぞることにより、コンテンツの選択操作が行なわれ、横棒ラインの方向に沿って操作部をなぞることにより選択コンテンツの閲覧操作が行なわれる。この二つの方向は略垂直であり、ユーザの直感にも合致したものである。
【００６１】
なお、ここで説明した操作部の構成や操作手順、表示内容等は、一例であって、本発明は、それらに限定されるものではない。操作部を十字キーや、縦、横方向に分割された複数のキー等により構成することも可能である。
【００６２】
例えば、図１３に示すように、矩形状の保持体５２に設けたタッチセンサ３４Ａ〜３４Ｈを、把持部１３に形成したＥ字状の開口部３１から臨ませるようにしても良い。また、Ｅ字状の開口部は、図１４に示すように、分割された複数の開口部６１〜６４で構成しても良い。また、図１５に示すように、タッチセンサの保持体を、複数の開口部６１〜６４に対応する形に分割しても良い。
【００６３】
また、図１６（Ａ）に示すように、操作部７１を略コ字状に形成し、第１天地反転ボタン７４と第２天地反転ボタン７５とを設け、第１天地反転ボタン７４が押されたときは右手持ちの表示動作を行い、第２天地反転ボタン７５が押されたときは左手持ちの表示動作を行うようにしても良い。
【００６４】
また、図１６（Ｂ）に示すように、分割した摺動面８１〜８４により操作部を構成しても良い。
【００６５】
また、ここで説明した操作部の操作手順、高速モード等のモード設定、一時記憶部の構成、管理テーブルの具体構成もあくまで一例であって、本発明は、それらに限定されない。
【００６６】
以上、本発明の各種実施形態を説明したが、本発明は前記実施形態において示された事項に限定されず、明細書の記載、並びに周知の技術に基づいて、当業者がその変更・応用することも本発明の予定するところであり、保護を求める範囲に含まれる。
【産業上の利用可能性】
【００６７】
本発明の電子表示装置は、良好な操作性を有しており、小説、画集、写真集などの電子書籍を閲覧する読書端末や、撮影した写真等を順次表示する画像ビュアー等の各種電子表示装置に対して、広く適用することができる。
【図面の簡単な説明】
【００６８】
【図１】本発明の実施形態における電子表示装置の斜視図
【図２】本発明の実施形態における電子表示装置の右手または左手での操作を説明する図
【図３】本発明の実施形態における電子表示装置のＥ字形操作部の構成を示す図
【図４】本発明の実施形態における電子表示装置のＥ字形操作部の操作を説明する図（右手持ちの場合）
【図５】本発明の実施形態における電子表示装置のＥ字形操作部の操作を説明する図（左手持ちの場合）
【図６】本発明の実施形態における電子表示装置の構成を示すブロック図
【図７】本発明の実施形態における電子表示装置の管理テーブルを示す図
【図８】本発明の実施形態における電子表示装置のコンテンツ選択メニューを示す図
【図９】本発明の実施形態における電子表示装置の設定メニューを示す図
【図１０】本発明の実施形態における電子表示装置のページめくりを説明する図
【図１１】本発明の実施形態における電子表示装置のコンテンツ選択及びページ切替え動作を示す模式図
【図１２】本発明の実施形態における電子表示装置のコンテンツ選択及びページ切替え動作の説明図
【図１３】本発明の実施形態における電子表示装置の操作部の変形例
【図１４】本発明の実施形態における電子表示装置の操作部の変形例
【図１５】本発明の実施形態における電子表示装置の操作部の変形例
【図１６】本発明の実施形態における電子表示装置の操作部の変形例
【符号の説明】
【００６９】
１０  電子表示装置
１１  矩形部
１２  表示部
１３  把持部
１４  操作部
１５  タッチセンサ
１５ａ〜１５ｈ  タッチセンサ
１６  制御部
１７  記憶部
１８  一時記憶部
１９  管理データ記憶領域
２０  読込データ記憶領域
３１  開口部
３４Ａ〜３４Ｈ  タッチセンサ
４１  右手
４２  左手
５２  保持体
６１〜６４開口部
７１  操作部
７４  第１天地反転ボタン
７５  第２天地反転ボタン
８１〜８４  摺動面
【図１】
2007041717.tif 000003
【図２】
2007041717.tif 000004
【図３】
2007041717.tif 000005
【図４】
2007041717.tif 000006
【図５】
2007041717.tif 000007
【図６】
2007041717.tif 000008
【図７】
2007041717.tif 000009
【図８】
2007041717.tif 000010
【図９】
2007041717.tif 000011
【図１０】
2007041717.tif 000012
【図１１】
2007041717.tif 000013
【図１２】
2007041717.tif 000014
【図１３】
2007041717.tif 000015
【図１４】
2007041717.tif 000016
【図１５】
2007041717.tif 000017
【図１６】
2007041717.tif 000018